(57)【特許請求の範囲】
【請求項１】
乾燥機であって、
ドアが設けられる投入口が前面に形成されたキャビネットと、
前記キャビネットの内部に配置され、内部に洗濯物を収容して回転されるドラムと、
前記キャビネットの内部に設けられ、前記ドラムを循環する空気で水分を凝縮させて除去する蒸発器と、
前記キャビネットに設けられ、前記蒸発器で凝縮された凝縮水が溜まる凝縮水ハウジングと、
前記投入口の下側に位置し、前記キャビネットの前面に対して後方に陥没されて形成された引出空間と、
前記引出空間に設けられ、前記キャビネットから分離して設けられ、かつ、前記キャビネットに対して移動されて、前記引出空間で引出可能なドロワと、
前記凝縮水ハウジングの凝縮水が移動されて蓄積され、前記ドロワに分離可能に据え置かれ、前記ドロワが引き出される際に、ユーザに露出される凝縮水引出容器とを備えてなり、
前記蒸発器が、前記凝縮水ハウジングの内部に設けられ、
前記凝縮水ハウジングが前記凝縮水引出容器の後方に配置されてなり、
前記凝縮水引出容器は、前後方向の長さに比べて左右幅方向の長さがさらに長く形成されたものである、乾燥機。
【請求項２】
前記凝縮水引出容器は、前記キャビネットに対して前方に引き出されるように構成されてなる、請求項１に記載の乾燥機。
【請求項３】
前記ドロワは、前記キャビネットに対して前後方向に直線移動可能に設けられてなる、請求項１に記載の乾燥機。
【請求項４】
前記引出空間は、前記投入口に対して下側に位置してなる、請求項１に記載の乾燥機。
【請求項５】
前記引出空間は、前記キャビネットの前面に対して内部に位置してなる、請求項１に記載の乾燥機。
【請求項６】
前記ドロワは、前記ドラムまたは前記ドアのうち、少なくともいずれか１つに対して下側に位置してなる、請求項１に記載の乾燥機。
【請求項７】
前記凝縮水引出容器は、上面の前後方向の長さｗ１が下面の前後方向の長さｗ２より短く形成されたものである、請求項１に記載の乾燥機。
【請求項８】
前記凝縮水引出容器は、背面に傾斜面が形成され、
前記凝縮水ハウジングの前面は、前記凝縮水引出容器の傾斜面に対応して傾斜して形成されたものである、請求項１に記載の乾燥機。
【請求項９】
前記ドロワは、前記凝縮水引出容器の少なくとも一部を遮蔽するように形成されて配置されたものである、請求項１に記載の乾燥機。
【請求項１０】
前記ドロワは、前記凝縮水引出容器でオーバーフローされた凝縮水を蓄積するバケツをさらに備えてなる、請求項１に記載の乾燥機。
【請求項１１】
前記バケツ及び前記凝縮水ハウジングの間に配置され、前記凝縮水引出容器でオーバーフローされた凝縮水を前記凝縮水ハウジングに回収するオーバーフローパスが配置されてなり、
前記オーバーフローパスは、前記バケツ又は前記凝縮水ハウジングのうちの少なくとも何れか一方に配置されてなり、
前記ドロワが前記引出空間から引き出される際に、前記オーバーフローパスによる前記バケツ及び前記凝縮水ハウジングの連結が解除されてなり、
前記ドロワが前記引出空間に収納される際に、前記バケツ及び前記凝縮水ハウジングが前記オーバーフローパスにより連結されてなる、請求項１０に記載の乾燥機。
【請求項１２】
前記ドロワは、
前記凝縮水引出容器の少なくとも一部を遮蔽するドロワカバーと、
前記ドロワカバーの背面に配置され、前記凝縮水引出容器が据え置かれた前記バケツを備えてなる、請求項１０に記載の乾燥機。
【請求項１３】
前記バケツ及び前記キャビネットを連結させて前記ドロワの引出を案内し、前記ドロワ及び前記凝縮水引出容器の荷重を支持するガイドサポータがさらに配置されてなる、請求項１２に記載の乾燥機。
【請求項１４】
前記バケツ及び前記凝縮水ハウジングを連結させて前記ドロワの引出を案内し、前記ドロワ及び前記凝縮水引出容器の荷重を支持するガイドサポータがさらに配置されてなる、請求項１２に記載の乾燥機。
【請求項１５】
前記ドロワは、
前記ドロワカバーに配置され、前記キャビネットと連結され、前記凝縮水引出容器の荷重を支持するドロワホルダをさらに備えてなり、
前記ドロワホルダ及び前記キャビネットを連結させて前記ドロワの引出を案内し、前記ドロワ及び前記凝縮水引出容器の荷重を支持するガイドサポータがさらに配置されてなる、請求項１２に記載の乾燥機。
【請求項１６】
前記ドロワは、
前記ドロワカバーに配置され、前記キャビネットと連結され、前記凝縮水引出容器の荷重を支持するドロワホルダをさらに備えてなり、
前記ドロワホルダ及び前記凝縮水ハウジングを連結させて前記ドロワの引出を案内し、前記ドロワ及び前記凝縮水引出容器の荷重を支持するガイドサポータがさらに配置されてなる、請求項１に記載の乾燥機。
【請求項１７】
前記凝縮水引出容器は、背面に傾斜面が形成されたものである、請求項１に記載の乾燥機。
【発明の詳細な説明】
【技術分野】
【０００１】
本発明は、凝縮式乾燥機に関する。
【背景技術】
【０００２】
一般に、洗濯物処理機器は、洗濯物に物理的、化学的作用を加えて洗濯物を処理する装置であって、洗濯物についた汚れを除去する洗濯機、洗濯物が入った洗濯槽を高速で回転させて洗濯物を脱水させる脱水機、洗濯槽内に冷風または熱風を加えて濡れた洗濯物を乾燥させる乾燥機などを通称する。
【０００３】
衣類の乾燥が可能な洗濯物処理装置は、高温の空気（熱風）を衣類に供給するが、空気の流動方式に基づいて排気式乾燥システムと循環式（凝縮式）乾燥システムとに分類されることができる。
【０００４】
循環式乾燥システムは、タブから排出される空気から水分を除去（除湿）した後、これを再度加熱してタブ内部に再供給する構造である。
【０００５】
排気式乾燥システムは、タブ内部に加熱された空気を供給し、タブから排出された空気をタブ内部に再供給せずに、洗濯物処理装置の外部に排出させる構造である。
【０００６】
従来、凝縮式乾燥システムは、凝縮水を蓄積する凝縮水引出容器がキャビネットの前後方向に挿入されて設けられる。また、従来、凝縮水引出容器は、ユーザが容易に持ち上げ得るようにドラムの上側に配置された。
【０００７】
ところが、前後方向に配置された凝縮水引出容器の構造のため、凝縮水引出容器の長さだけの空間を洗濯機前方に確保しなければならないという問題点があった。
【０００８】
また、ドラムの上側に配置される凝縮水引出容器の配置のため、凝縮水引出容器に凝縮水が満たされれば、乾燥システムの重心が上昇され、振動に脆弱になるという問題点があった。
【０００９】
一方、乾燥機は、ドラム洗濯機の上側に積層されて使用される場合が頻繁である。
【００１０】
このように、乾燥機がドラム洗濯機の上側に積層される場合、ドラム上側に位置する凝縮水引出容器は、ユーザの胸の上方に位置し、引出が難しいという問題点があった。
【先行技術文献】
【特許文献】
【００１１】
【特許文献１】大韓民国登録特許第１０−０３７３４８３号
【発明の概要】
【発明が解決しようとする課題】
【００１２】
本発明が解決しようとする課題は、凝縮水引出容器の引出空間を最小化できる乾燥機を提供することである。
【００１３】
本発明が解決しようとする他の課題は、凝縮水引出容器をドラムの下側に配置してキャビネットの内部空間の活用度を高め、ドラムの容量を増加させることができる乾燥機を提供することである。
【００１４】
本発明が解決しようとするさらに他の課題は、凝縮水が蓄積されるにつれて重心を一層低めることができる乾燥機を提供することである。
【００１５】
本発明が解決しようとするさらに他の課題は、ユーザが凝縮水引出容器を容易に引き出すことができる乾燥機を提供することである。
【００１６】
本発明が解決しようとするさらに他の課題は、凝縮水引出容器をドラムの前方に配置して、乾燥機全体に荷重を均等に分布させることができる乾燥機を提供することである。
【００１７】
本発明が解決しようとするさらに他の課題は、凝縮水引出容器をドラムの前方下側に横方向に配置して、凝縮水引出容器の引出による空間を最小化し、生成される凝縮水を介して重心を低めて振動を低減させることができる乾燥機を提供することである。
【００１８】
本発明が解決しようとするさらに他の課題は、ドラム洗濯機上に乾燥機が積層される場合にも、凝縮水引出容器を容易に引き出すことができる乾燥機を提供することである。
【００１９】
本発明の効果は、以上で言及した効果に制限されず、言及されていないさらに他の効果は、請求の範囲の記載から当業者に明確に理解され得るであろう。
【課題を解決するための手段】
【００２０】
本発明に係る乾燥機は、凝縮水が蓄積される凝縮水引出容器の前後方向の長さが幅方向の長さより短く形成されて、引き出される長さを最小化させることができ、凝縮水引出容器がキャビネットの下側に配置されて安定性が増大される。
【００２１】
本発明に係る乾燥機は、凝縮蓄積部、バケツ、及びドロワがキャビネットの前方に共に引き出される。
【００２２】
本発明に係る乾燥機は、ドアが設けられる投入口が前面に形成されたキャビネットと、前記キャビネットの内部に配置され、内部に洗濯物を収容して回転されるドラムと、前記キャビネットの内部に設けられ、前記ドラムを循環する空気で水分を凝縮させて除去する蒸発器と、前記キャビネットに設けられ、前記蒸発器で凝縮された凝縮水が溜まる凝縮水ハウジングと、前記投入口の下側に位置し、前記キャビネットの前面に対して後方に陥没されて形成された引出空間と、前記引出空間に設けられ、前記キャビネットに対して移動されて、前記引出空間で引出可能なドロワと、前記凝縮水ハウジングの凝縮水が移動されて蓄積され、前記ドロワに分離可能に据え置かれ、前記ドロワが引き出されるとき（際に）、ユーザに露出される凝縮水引出容器とを備える。
【００２３】
前記凝縮水引出容器は、前記キャビネットに対して前方に引き出されるように構成されることができる。
【００２４】
前記ドロワは、前記キャビネットに対して前後方向に直線移動可能に設けられることができる。
【００２５】
前記引出空間は、前記投入口に対して下側に位置し得る。
【００２６】
前記引出空間は、前記キャビネットの前面に対して内部に位置し得る。
【００２７】
前記ドロワは、前記ドラムまたは前記ドアのうち、少なくともいずれか１つに対して下側に位置し得る。
【００２８】
前記凝縮水引出容器は、前記キャビネットに対して幅方向に配置されることができる。
【００２９】
前記凝縮水引出容器は、前後方向の長さに比べて左右幅方向の長さがさらに長く形成され得る。
【００３０】
前記凝縮水引出容器は、上面の前後方向の長さｗ１が下面の前後方向の長さｗ２より短く形成され得る。
【００３１】
前記凝縮水引出容器の後方に前記凝縮水ハウジングが配置され得る。
【００３２】
前記凝縮水引出容器は、背面に傾斜面が形成され、前記凝縮水ハウジングの前面は、前記凝縮水引出容器の傾斜面に対応して傾斜して形成されることができる。
【００３３】
前記ドロワは、前記凝縮水引出容器の少なくとも一部を遮蔽するように形成されて配置されることができる。
【００３４】
前記ドロワは、前記凝縮水引出容器でオーバーフローされた凝縮水を蓄積するバケツをさらに備えることができる。
【００３５】
前記バケツ及び凝縮水ハウジングの間に配置され、前記凝縮水引出容器でオーバーフローされた凝縮水を前記凝縮水ハウジングに回収するオーバーフローパスが配置され、前記オーバーフローパスは、前記バケツまたは凝縮水ハウジングのうち、少なくともいずれか一方に配置され、前記ドロワが前記引出空間から引き出されるとき（際に）、前記オーバーフローパスによる前記バケツ及び凝縮水ハウジングの連結が解除され、前記ドロワが前記引出空間に収納されるとき（際に）、前記バケツ及び凝縮水ハウジングが前記オーバーフローパスにより連結され得る。
【００３６】
前記ドロワは、前記凝縮水引出容器の少なくとも一部を遮蔽するドロワカバーと、
前記ドロワカバーの背面に配置され、前記凝縮水引出容器が据え置かれる前記バケツを備えることができる。
【００３７】
前記バケツ及びキャビネットを連結させて前記ドロワの引出を案内し、前記ドロワ及び凝縮水引出容器の荷重を支持するガイドサポータがさらに配置され得る。
【００３８】
前記バケツ及び凝縮水ハウジングを連結させて前記ドロワの引出を案内し、前記ドロワ及び凝縮水引出容器の荷重を支持するガイドサポータがさらに配置され得る。
【００３９】
前記ドロワは、前記ドロワカバーに配置され、前記キャビネットと連結され、前記凝縮水引出容器の荷重を支持するドロワホルダをさらに備え、前記ドロワホルダ及びキャビネットを連結させて前記ドロワの引出を案内し、前記ドロワ及び凝縮水引出容器の荷重を支持するガイドサポータがさらに配置され得る。
【００４０】
前記ドロワは、前記ドロワカバーに配置され、前記キャビネットと連結され、前記凝縮水引出容器の荷重を支持するドロワホルダをさらに備え、前記ドロワホルダ及び凝縮水ハウジングを連結させて前記ドロワの引出を案内し、前記ドロワ及び凝縮水引出容器の荷重を支持するガイドサポータがさらに配置され得る。
【００４１】
前記凝縮水引出容器は、背面に傾斜面が形成され得る。
【発明の効果】
【００４２】
本発明に係る乾燥機は、次のような効果が１つあるいはそれ以上ある。
【００４３】
第１に、凝縮水引出容器が横方向に配置されるので、凝縮水引出容器を引き出すときに要求される空間を最小化できるという長所がある。
【００４４】
第２に、キャビネット内でドラムの上側に配置される構造物を最小化し、相対的に余裕の多いドラムの下側に凝縮水引出容器を配置するので、同一サイズに比べてより大きい容量のドラムを設けることができるという長所がある。
【００４５】
第３に、ドラムの下側に凝縮水引出容器が配置されるので、乾燥機作動過程で生成された凝縮水により初期より重心がより低くなるという長所がある。
【００４６】
第４に、ドロワの引出後、ユーザに露出された凝縮水引出容器を持ち上げて凝縮水引出容器のみを分離できるという長所がある。
【００４７】
第５に、ドラムの前方に凝縮水引出容器が配置されるので、凝縮水が満たされる場合、乾燥機の前後方向に対する荷重不均衡を最小化させ得るという長所がある。
【００４８】
第６に、ドロワが引き出されるとき、凝縮水引出容器も共に引き出されるので、ユーザが掴みやすい位置に凝縮水引出容器が移動されるという長所がある。
【００４９】
第７に、ドロワに連結されたガイドサポータを介してユーザの操作力が加えられるドロワを引出空間から安定的に移動させることができるという長所がある。
【００５０】
第８に、ドロワが引き出されるとき、凝縮水引出容器は、引出空間に配置され、ドロワのみが前方に引き出されるので、ガイドサポータの負荷を減らすことができるという長所がある。
【００５１】
第９に、ラッチを介してドロワを引出空間に安定的に位置させることができるという長所がある。
【００５２】
第１０に、前記ラッチを介してオーバーフローパスの結合状態を安定的に維持させることができるという長所がある。
【図面の簡単な説明】
【００５３】
【図１】本発明の第１実施形態に係る乾燥機の斜視図である。
【図２】図１に示されたドロワアセンブリの引出状態が示された斜視図である。
【図３】図１の内部が示された斜視図である。
【図４】図３のドラム下部が示された斜視図である。
【図５】図３のドラム下部が示された平面図である。
【図６】図２に示されたドロワアセンブリの分解斜視図である。
【図７】図２に示されたガイドサポータの斜視図である。
【図８】図１に示された凝縮水引出容器の収納状態が示された断面図である。
【図９】図６に示されたドロワアセンブリの背面側分解斜視図である。
【図１０】図１に示されたドロワアセンブリの引出前状態が示された下部斜視図である。
【図１１】図１に示されたドロワアセンブリの引出後状態が示された下部斜視図である。
【発明を実施するための形態】
【００５４】
本発明の利点及び特徴、そして、それらを達成する方法は、添付される図面とともに詳細に後述されている実施形態を参照すれば、明確になるであろう。しかしながら、本発明は、以下において開示される実施形態等に限定されるものではなく、互いに異なる様々な形態で実現されることができ、ただし、本実施形態等は、本発明の開示が完全なようにし、本発明の属する技術分野における通常の知識を有する者に発明の範疇を完全に知らせるために提供されるものであり、本発明は、請求項の範疇だけにより定義される。明細書全体にわたって同一参照符号は、同一構成要素を指す。
【００５５】
図１〜図１１を参照して第１実施形態に係る乾燥機を説明する。
【００５６】
本実施形態に係る乾燥機は、外観を形成するキャビネット１０と、前記キャビネット１０の前面に対して後方に陥没されて形成された引出空間１９と、前記キャビネット１０の内部に配置され、内部に洗濯物が収容されて回転されるドラム３０と、ドラム３０を回転させる駆動部４０と、前記ドラム３０で循環される空気を加熱して前記洗濯物を乾燥させ、前記循環される空気で水分を凝縮して除去するヒートポンプユニット５０と、前記ドラム３０の空気を循環させる空気循環ユニット６０と、前記キャビネット１０に設けられ、前記ヒートポンプユニット５０で凝縮された凝縮水が移動されて蓄積される凝縮水引出容器８２を備える凝縮水蓄積モジュール８０と、前記引出空間１９に設けられ、前記キャビネット１０に対して前方に引き出されて、前記凝縮水引出容器８２をユーザに露出させるドロワ７０とを備える。
【００５７】
本実施形態では、前記ドロワ７０及び凝縮水引出容器８２がキャビネット１０の前方に共に引き出される。
【００５８】
前記凝縮水引出容器８２は、引出空間１９に隠され、前記ドロワ７０が引き出されるとき、前記キャビネット１０の外へ露出される。
【００５９】
前記ドロワ７０が引き出される前まで前記凝縮水引出容器８２は、引出空間１９に隠された状態を維持する。前記ドロワ７０は、ガイドサポータ９０に結合され、前記ガイドサポータ９０に沿ってキャビネット１０の前方に引き出される。
【００６０】
前記凝縮水引出容器８２及びドロワ７０をドロワアセンブリと定義する。
【００６１】
前記キャビネット１０に前記ドロワアセンブリが収納される引出空間１９が形成される。前記引出空間１９は、前記キャビネット１０の外側に形成されることができる。前記引出空間１９は、前記ドラム３０に対して下側に位置することができる。前記引出空間１９は、洗濯物が投入される投入口１７に対して下側に位置することができる。
【００６２】
前記キャビネット１０は、乾燥機の外観を形成する。前記キャビネット１０は、前面にドア１５が配置され、前記ドア１５は、左右方向に回転されて前記キャビネット１０の内部を開閉する。
【００６３】
前記キャビネット１０は、フロントカバー１１、トッププレート１２、サイドカバー１３、リアカバー１４、及びベース１６を備える。前記ドア１５は、フロントカバー１１に設けられる。
【００６４】
フロントカバー１１に洗濯物が投入される投入口１７が形成される。
【００６５】
前記引出空間１１は、前記フロントカバー１１の下側に位置する。前記引出空間１１は、前記フロントカバー１１に対して後方に陥没されて形成される。
【００６６】
引出空間１９に収納されたとき、前記ドロワ７０は、前記フロントカバー１１と連続した面を形成する。
【００６７】
本実施形態とは異なり、前記引出空間１９は、前記フロントカバー１１の内側に位置し得る。すなわち、前記引出空間１９は、前記フロントカバー１１により囲まれて配置されることができる。
【００６８】
前記キャビネット１０は、全体的に直方体状で形成される。
【００６９】
前記ドア１５は、キャビネット１０の前面に配置されて、左右方向に回転するように作動される。
【００７０】
前記ドア１５により開閉される投入口１７は、ドラム３０と連通される。
【００７１】
前記ドラム３０は、前記キャビネット１０の内部に配置され、前記ドラム３０の容量を最大化するために、前記凝縮水蓄積モジュール８０は、ドラム３０の下側に配置される。
【００７２】
これにより、ドラム３０の上側には作動に必要な他の部品が設けられないので、キャビネット１０内でドラム３０の直径を最大化することができる。
【００７３】
ドラム３０は、円筒形で形成される。ドラム３０は、内部にリフター３１が設けられ、前記リフター３１は、回転しつつ、内部の洗濯物を持ち上げた後、自由落下させる。
【００７４】
前記駆動部４０は、キャビネット１０に固定される駆動モータ４２を備える。前記駆動モータ４２の駆動軸４１は、ドラム３０の背面に結合される。前記駆動モータ４２の回転により前記ドラム３０が正方向または逆方向に回転し得る。
【００７５】
ドラム３０には、ドラム内部の空気を循環させるための循環流路が形成される。
【００７６】
本実施形態において前記ドラム３０の背面側から空気が内部に流入し、前面側へ空気を吐出させる。本実施形態とは異なり、前記ドラム３０を経由する循環流路は様々に形成されることができる。
【００７７】
前記空気循環ユニット６０は、インペラ６１と、前記インペラ６１を回転させる空気循環モータ６２と、前記インペラ６１により流動した空気を案内する循環流路とを備える。
【００７８】
本実施形態において前記インペラ６１は、前記リアカバー１４の内側に配置される。より正確には、前記インペラ６１は、リアカバー１４及びドラム３０の間に配置される。
【００７９】
前記空気循環モータ６２は、ベース１６の上側に位置し、ドラム３０の下側に位置する。前記空気循環モータ６２は、前記インペラ６１を回転させる。前記インペラ６１は、円周方向に空気を吐出させる遠心送風ファンの一種である。
【００８０】
前記循環流路は、実施形態によって様々に構成されることができる。
【００８１】
本実施形態において前記循環流路は、インペラ６１から吐出された循環空気をドラム３０に案内するリアダクト６３と、前記ヒートポンプユニット５０から供給された循環空気を前記インペラ６１に案内するヒートポンプダクト６４と、前記ドラム３０から吐出された循環空気を前記ヒートポンプユニット５０に案内するドラムダクト６５とを備える。
【００８２】
前記リアカバー１４には、前記インペラ６１から吐出された空気を前記ドラム３０に案内するリアダクト６３が形成される。前記リアダクト６３を介してドラム３０に案内された空気は、ドラム３０の背面側を介して内部に流入する。
【００８３】
このために、前記ドラム３０の背面には、空気が流入し得るようにドラム流入口３２が形成される。
【００８４】
前記ドラム流入口３２は、駆動軸４１の周りに配置される。これにより、前記ドラム３０が回転されるときにも、前記ドラム流入口３２を介してインペラ６１に吐出された循環空気を内部に流入させることができる。
【００８５】
前記ヒートポンプダクト６４は、前記インペラ６１とヒートポンプユニット５０との間に配置される。前記ドラムダクト６５は、ドラム３０及びヒートポンプユニット５０の間に配置される。
【００８６】
前記ヒートポンプユニット５０は、冷媒をヒートポンプサイクルで作動させることができる。前記ヒートポンプユニット５０は、凝縮機で生成された熱を介して前記循環空気を加熱させることができ、蒸発器で生成された熱を介して前記循環空気中の水分を凝縮させることができる。
【００８７】
本実施形態に係る前記ヒートポンプユニット５０は、循環空気に対して加熱及び凝縮を共に実現することができる。
【００８８】
本実施形態とは異なり、循環空気で水分を凝縮させるコンデンサのみを設けることができる。前記コンデンサは、蒸発器で作動され、本実施形態の第２の熱交換器５４と機能的に同じである。この場合、外部空気及び前記循環空気は、前記コンデンサで熱交換される。前記熱交換によりコンデンサで前記循環空気の凝縮水が生成される。前記コンデンサを介して凝縮水を生成させるメカニズム及び構造は、当業者に一般的な技術であるから、詳細な説明を省略する。
【００８９】
前記ヒートポンプユニット５０は、冷媒を圧縮させる圧縮機５１と、前記圧縮された冷媒と循環空気とを熱交換させて冷媒を凝縮させる第１の熱交換器５２と、前記第１の熱交換器５２で凝縮された冷媒を膨脹させる膨脹バルブ（図示せず）と、前記膨脹バルブで膨脹された冷媒と循環空気とを熱交換させて冷媒を蒸発させる第２の熱交換器５４とを備える。
【００９０】
前記第１の熱交換器５２及び第２の熱交換器５４は、熱交換器である。
【００９１】
前記膨脹バルブは、電子膨脹バルブでありうる。
【００９２】
前記第１の熱交換器５２は、循環空気と熱交換され、冷媒を凝縮させる。前記冷媒の凝縮過程で冷媒の凝縮熱が放出され、前記放出された熱が前記循環空気を加熱させる。
【００９３】
前記循環空気は、前記凝縮熱により加熱され、洗濯物を乾燥させるのに使用される。
【００９４】
本実施形態では図示されていないが、前記循環流路上にヒータ（図示せず）が配置され得るし、ヒータで発生された熱により前記循環空気をより高い温度でヒーティングさせることができる。
【００９５】
前記第２の熱交換器５４は、循環空気と熱交換され、冷媒を蒸発させる。前記冷媒の蒸発過程で冷媒は蒸発熱を吸収し、前記蒸発熱により循環空気が冷却される。前記循環空気が冷却されれば、循環空気中の水分が凝縮されて凝縮水が生成され得る。前記循環空気中の水分は、洗濯物で蒸発された洗濯水を含む。
【００９６】
本実施形態では、前記ベース１６の上側に前記第１の熱交換器５２及び第２の熱交換器５４が一列に配置される。前記ベース１６の上側には、前記第１の熱交換器５２及び第２の熱交換器５４が収納される凝縮水ハウジング５５が配置される。前記凝縮水ハウジング５５の内部に前記第２の熱交換器５４及び凝縮機５４が一列に配置される。
【００９７】
前記循環空気の凝縮水は、キャビネット１０の内部に配置された前記凝縮水ハウジング５５に蓄積された後、凝縮水ポンプ８４により凝縮水引出容器８２へ移動される。
【００９８】
すなわち、本実施形態に係る乾燥機は、キャビネット１０の内部で凝縮水を生成させた後、キャビネット１０の外部に配置された凝縮水引出容器８２へ移動させて蓄積する。
【００９９】
前記ドラム３０から吐出された循環空気は、ドラムダクト６５を経て前記凝縮水ハウジング５５に供給される。前記循環空気は、前記凝縮水ハウジング５５の内部で第２の熱交換器５４と先に熱交換された後、第１の熱交換器５２と熱交換される。
【０１００】
前記第２の熱交換器５４は、ドラム３０から吐出された循環空気と熱交換され、前記循環空気中に含まれた水分を凝縮させる。前記凝縮水は、自重により下側に流れ落ちて前記凝縮水ハウジング５５に溜まる。
【０１０１】
前記凝縮水ハウジング５５は、底面が後方側へ傾斜して形成される。それで、前記凝縮水ハウジング５５に溜まった凝縮水は、後方へ流動しながら蓄積される。
【０１０２】
前記凝縮水ハウジング５５の後方側には、後述する凝縮水ポンプ８４が配置され、前記凝縮水ポンプ８４は、溜まった凝縮水を凝縮水引出容器８２にポンピングする。
【０１０３】
本実施形態において前記凝縮水ハウジング５５の前方にドラムダクト５５が配置されるので、前記循環空気は、凝縮水ハウジング５５の前方側から後方側へ流動する。前記凝縮水は、傾斜方向及び循環空気により凝縮水ハウジングの後方側へ自然に流動することができる。
【０１０４】
第２の熱交換器５４と熱交換されて冷却された循環空気は、後方側に配置された第１の熱交換器５２と熱交換される。第１の熱交換器５２は、循環空気を加熱させる。前記第１の熱交換器５２により加熱された循環空気は、ヒートポンプダクト６４を介してインペラ６１へ流動する。
【０１０５】
前記凝縮水蓄積モジュール８０は、前記凝縮水ハウジング５５に溜まった凝縮水を凝縮水引出容器８２に蓄積する。
【０１０６】
ユーザは、凝縮水が蓄積された凝縮水引出容器８２をキャビネット１０から分離した後、前記凝縮水引出容器８２に蓄積された凝縮水を捨てることができる。
【０１０７】
前記凝縮水蓄積モジュール８０は、前記キャビネット１０に脱着可能に設けられる凝縮水引出容器８２と、前記キャビネット１０に設けられ、凝縮水ハウジング５５に溜まった凝縮水を前記凝縮水引出容器８２へ流動させる凝縮水ポンプ８４と、前記凝縮水ポンプ８４から吐出された凝縮水を前記凝縮水引出容器８２に案内する凝縮吐出ホース８６とを備える。
【０１０８】
前記凝縮水引出容器８２は、前記第２の熱交換器５４で生成された凝縮水が蓄積される空間である。前記凝縮水引出容器８２は、キャビネット１０の外部に別に配置されることができる。
【０１０９】
前記凝縮水ハウジング５５にも凝縮水が蓄積されるが、前記凝縮水引出容器８２は、前記凝縮水ハウジング５５と別の構成である。前記凝縮水ハウジング５５は、凝縮水を一定量以上になるまで溜めるために使用され、前記凝縮水引出容器８２は、凝縮水ハウジング５５でポンピングされた凝縮水を蓄積するための空間である。
【０１１０】
凝縮水を一定量以上溜めてポンピングしてはじめて、凝縮水ポンプ８４の作動頻度を下げることができる。
【０１１１】
前記凝縮水引出容器８２は、キャビネット１０の前方下側に位置し、ドロワ７０により隠される。
【０１１２】
本実施形態において前記ドロワ７０は、前記フロントカバー１１と連続した面を形成する。前記ドロワ７０は、前記凝縮水引出容器８２全体を隠す。本実施形態とは異なり、前記ドロワ７０が前記凝縮水引出容器８２の一部のみを遮蔽したり、前記凝縮水引出容器８２を遮蔽しなくても構わない。
【０１１３】
前記ドロワ７０は、引出空間１９に配置される。前記ドロワ７０は、前記引出空間１９を遮蔽する。本実施形態に係る凝縮水引出容器８２は、ドロワ７０に据え置かれ、ドロワ７０とともに、キャビネット１０の前方に引き出される。
【０１１４】
前記ドロワ７０は、前記凝縮水引出容器８２の少なくとも一部を遮蔽するドロワカバー７１と、前記ドロワカバー７１に対して背面側に位置し、前記凝縮水引出容器８２が据え置かれるバケツ８７と、前記ドロワカバー７１に配置され、前記キャビネット１０と連結されるドロワホルダ７２とを備える。
【０１１５】
前記ドロワホルダ７２は、実施形態によって削除されることができる。前記ドロワホルダ７２が削除される場合、前記キャビネット１０及びドロワカバー７１が連結される。前記ドロワホルダ７２は、ドロワカバー７１と一体に製作されることができる。
【０１１６】
前記凝縮水引出容器８２は、前記凝縮吐出ホース８６を介して凝縮水を供給され、供給された凝縮水を蓄積する。
【０１１７】
前記凝縮水引出容器８２は、前記キャビネット１０で脱着可能に設けられる。前記凝縮水引出容器８２は、前記引出空間１９に配置され、前記引出空間１９で前記ドロワ７０とともに、前方に引き出される。
【０１１８】
前記凝縮水引出容器８２は、キャビネット１０の幅方向に長く延びて形成される。前記凝縮水引出容器８２は、前後方向の長さより幅方向の長さがより長く形成され得る。前記凝縮水引出容器８２は、前後方向の長さより上下方向の長さがより長く形成され得る。
【０１１９】
幅方向に形成された前記凝縮水引出容器８２は、前記キャビネット１０の内部に挿入される深さを最小化させる。キャビネット１０に挿入される深さが最小化されるので、前記凝縮水引出容器８２の引出長さを最小化させることができる。すなわち、前記凝縮水引出容器８２は、前後方向の長さが最小化されるので、凝縮水引出容器８２の引出に必要な空間が最小化される。
【０１２０】
凝縮水引出容器８２の引出の際、少なくとも凝縮水引出容器８２の前後方向の長さだけの引出空間が要求されるが、本実施形態では、このような引出空間を最小化できる。
【０１２１】
例えば、ドア１５が開けられる程度の空間だけあれば、凝縮水引出容器８２の引出に問題がない。ドア１５の回転半径より小さくても、前記凝縮水引出容器８２を引き出すことができる。
【０１２２】
前記凝縮水引出容器８２は、前記凝縮水ハウジング５５の前方に配置される。前記凝縮水引出容器８２は、ドロワ７０及び凝縮水ハウジング５５の間に配置される。前記凝縮水引出容器８２は、ドラム３０の前方下側に配置される。
【０１２３】
前記ドラム３０の前方下側には、前記ドラムダクト６５が配置される。前記ドラムダクト６５は、凝縮水ハウジング５５及び凝縮水引出容器８２の間に配置される。
【０１２４】
前記凝縮水引出容器８２は、ドア１５の下側に配置される。前記凝縮水引出容器８２は、ベース１６の上側に配置される。
【０１２５】
前記凝縮水引出容器８２は、前後方向の長さより左右幅がさらに長く形成される。このように、左右幅に比べて前後方向の長さが短いので、凝縮水引出容器８２の引出距離を最小化できるという長所がある。
【０１２６】
前記凝縮水引出容器８２の上側に凝縮水ホール８１が形成され、前記凝縮水ホール８１を介して凝縮水ハウジング５５の凝縮水が供給される。
【０１２７】
前記凝縮水引出容器８２と凝縮吐出ホース８６とが直接結合されても構わないが、本実施形態では、前記凝縮吐出ホース８６からドロップされる凝縮水が前記凝縮水ホール８１を通過して凝縮水引出容器８２の内部へ流動する。
【０１２８】
凝縮水をドロップさせる構造により、前記凝縮水引出容器８２の脱着構造を簡素に実現することができる。
【０１２９】
そして、前記凝縮水引出容器８２は、上面の前後方向の長さｗ１が下面の前後方向の長さｗ２よりさらに狭く形成される。これにより、前記凝縮水引出容器８２は、上側から下側へ行くほど、断面積がより広くなるように形成される。
【０１３０】
凝縮水引出容器８２の上面が狭く形成されるので、ユーザが凝縮水引出容器８２をより容易に持ち上げることができるという長所がある。すなわち、前後方向に短く、幅方向に長く凝縮水引出容器８２が形成されるので、ユーザは、凝縮水引出容器８２を容易に掴むことができる。
【０１３１】
本実施形態において上記のような前後方向の長さｗ１、ｗ２の差により、凝縮水引出容器８２の背面には傾斜面８８が形成される。前記凝縮水引出容器８２は、台形状に形成されることができるが、本実施形態では、前面が大体垂直であり、背面が傾斜して形成される。
【０１３２】
このような形状は、ユーザが凝縮水引出容器８２を持ち上げるときの角度を考慮したものである。ユーザは、凝縮水引出容器８２を垂直に持ち上げるよりは、自分の方へ引っ張りながら持ち上げる傾向があり、前記背面の傾斜面８８は、このような使用パターンを考慮したものである。
【０１３３】
前記傾斜面８８は、ユーザが凝縮水引出容器８２を持ち上げる過程で、キャビネット１０の他の構造物との干渉が最小化されるという長所がある。
【０１３４】
そして、凝縮水引出容器８２は、下面が上面より広く形成されるので、凝縮水が揺れても倒れずに、安定的に据え置かれることができる。
【０１３５】
前記凝縮水ハウジング５５の前面は、前記凝縮水引出容器８２の傾斜面８８に対応して傾斜して形成される。これにより、凝縮水ハウジング５５は、前面の上側端が前方側へ突出され、前面の下側端が後方側へ後退するように形成される。
【０１３６】
前記凝縮水ハウジング５５の前面及び凝縮水引出容器８２の背面が型合わせられて密着されるので、ドラム３０の作動の際、凝縮水引出容器８２の揺れを最小化させることができ、これによる振動を抑制できる。
【０１３７】
なお、前記凝縮水引出容器８２は、ドラム３０の下側に配置されるので、乾燥機の重心を下側へ移動させることができる。すなわち、凝縮水引出容器８２に凝縮水が蓄積されるほど、前記乾燥機の重心はさらに下側へ移動される。乾燥機の重心が下側へ移動されるほど、作動の際の安定性が向上する。
【０１３８】
そして、前記凝縮水引出容器８２は、ドラム３０の前方に配置されるので、駆動部４０と対応して重さの偏差を減らすことができる。すなわち、乾燥機の前後方向を基準として駆動部４０がドラム３０の背面側に設けられ、凝縮水引出容器８２は、ドラム３０の前面側に設けられるので、乾燥機の重さを前後方向に分散させることができる。
【０１３９】
このように、凝縮水引出容器８２の位置は、乾燥機作動の際に発生される振動を低減できるという長所がある。
【０１４０】
前記凝縮水ポンプ８４は、凝縮水ハウジング５５の後方に配置される。
【０１４１】
前記凝縮吐出ホース８６の一端は、前記凝縮水ポンプ８４に連結され、他端は、凝縮水ホール８１に連結される。
【０１４２】
前記凝縮水ポンプ８４は、リアカバー１４の内側に配置されることができる。本実施形態では、ポンプカバー８５が別に備えられ、前記ポンプカバー８５が前記リアカバー１４に組み立てられて前記ポンプ８４を隠匿する。前記ポンプ８４の故障または点検の際、前記ポンプカバー８５を分離して前記凝縮水ポンプ８４を露出させることができる。
【０１４３】
前記ドロワ７０は、前記凝縮水引出容器８２でオーバーフローされた凝縮水を収容するバケツ８７を備える。前記バケツ８７は、前記ドロワ７０の後方に配置される。前記バケツ８７は、前記ドロワ７０と一体に製作される。本実施形態とは異なり、前記バケツ８７は、前記ドロワ７０と別に製作された後、ドロワ７０に締結固定されることもできる。
【０１４４】
前記凝縮水引出容器８２は、前記バケツ８７から上側へ分離されることができる。前記凝縮水引出容器８２は、前記バケツ８７の内側に据え置かれる。
【０１４５】
前記バケツ８７は、前記凝縮水引出容器８２の少なくとも一部を収容できる。本実施形態において前記バケツ８７は、前記凝縮水引出容器８２の下側に配置され、前記凝縮水引出容器８２の下側の一部が挿入される。
【０１４６】
前記バケツ８７は、前記凝縮水ホール８１から溢れた凝縮水を蓄積する。前記バケツ８７には、前記凝縮水引出容器８２を支持する支持リブ８９がさらに形成される。
【０１４７】
前記支持リブ８９は、バケツ８７の内側上面に形成される。前記支持リブ８９に凝縮水引出容器８２が据え置かれる。前記凝縮水引出容器８２は、前記支持リブ８９の高さだけ離間する。これにより、前記支持リブ８９の周りにオーバーフローされた凝縮水が収容され得る。
【０１４８】
前記オーバーフローされた凝縮水は、前記凝縮水ハウジング５５へ流動することができる。このために、前記バケツ８７及び凝縮水ハウジング５５を連結させるオーバーフローパス１００が設けられる。
【０１４９】
前記オーバーフローパス１００には、チェックバルブ１０２が設けられる。前記チェックバルブ１０２は、バケツ８７から凝縮水ハウジング５５にのみ凝縮水が流動するようにし、反対方向には、凝縮水が流動することを遮断させる。特に、前記チェックバルブ１０２は、凝縮水ハウジング５５の湿り蒸気がバケツ８７へ移動されることを遮断させることができる。
【０１５０】
前記オーバーフローパス１００は、１つの部品で製作されることができる。本実施形態において前記オーバーフローパス１００は、前記凝縮水ハウジング５５に連結された第１のオーバーフロー連結管１０１と、バケツ８７に連結された第２のオーバーフロー連結管１０３とを備える。
【０１５１】
前記チェックバルブ１０２は、第１のオーバーフロー連結管１０１に設けられる。本実施形態とは異なり、前記チェックバルブ１０２が前記第２のオーバーフロー連結管１０３に設けられることもできる。
【０１５２】
前記第１のオーバーフロー連結管１０１及び第２のオーバーフロー連結管１０３は、結合及び分離が可能である。
【０１５３】
前記ドロワ７０が引出空間１９に収納されるとき、前記第１のオーバーフロー連結管１０１及び第２のオーバーフロー連結管１０３が連結される。前記ドロワ７０が引出空間１９から引き出されるとき、前記第１のオーバーフロー連結管１０１及び第２のオーバーフロー連結管１０３が分離される。前記第２のオーバーフロー連結管１０３が分離されても、前記チェックバルブ１０２により凝縮水ハウジング５５の流体が外へ流出されない。
【０１５４】
前記オーバーフローパス１００が１つの部品で構成される場合、前記バケツまたは凝縮水ハウジングのうち、少なくともいずれか一方に配置されることができる。前記オーバーフローパス１００が１つの部品で構成される場合、前記ドロワ７０が前記引出空間から引き出されるとき、前記オーバーフローパス１００による前記バケツ８２及び凝縮水ハウジング５５の連結が解除される。前記オーバーフローパス１００が１つの部品で構成される場合、前記ドロワ７０が前記引出空間１９に収納されるとき、前記バケツ８２及び凝縮水ハウジング５５が前記オーバーフローパス１００により連結される。
【０１５５】
前記ドロワ７０は、前記凝縮水引出容器８２の前方に配置される。
【０１５６】
前記ドロワ７０は、本実施形態において凝縮水引出容器８２全体をカバーする。本実施形態とは異なり、前記ドロワ７０は、前記凝縮水引出容器８２の一部のみカバーするように形成されることもできる。
【０１５７】
前記ドロワ７０は、ユーザの操作力により前方に引き出されることができる。前記ドロワ７０が引き出されるとき、前記凝縮水引出容器８２も共に前方に引き出される。前記凝縮水引出容器８２が前方へ移動されてユーザに露出される。
【０１５８】
前記ドロワ７０は、フロントカバー１１とともに、乾燥機の前面を形成する。
【０１５９】
前記ドロワ７０は、フロントカバー１１の下側に配置される。
【０１６０】
前記ドロワ７０を前方に引き出すために、本実施形態ではガイドサポータ９０が設けられる。前記ガイドサポータ９０の一側は、キャビネット１０側構造物に固定され、他側は、ドロワアセンブリ側構造物に固定される。
【０１６１】
前記ドロワ側構造物は、ドロワ７０、バケツ８７、ドロワホルダ７２でありうる。前記キャビネット側構造物は、フロントカバー１１、ベース１６、凝縮水ハウジング５５でありうる。
【０１６２】
前記ガイドサポータ９０は、左右幅方向に２個が設けられ得る。本実施形態とは異なり、前記ガイドサポータ９０は、１個のみ設けられても構わない。
【０１６３】
本実施形態において前記ガイドサポータ９０は、ドロワアセンブリの下側に配置されて、ユーザに露出されることを防止できる。
【０１６４】
前記ガイドサポータ９０は、前後方向に延びることができるように多段で構成され得る。本実施形態では、前記ガイドサポータ９０が３段で構成されるが、本実施形態とは異なり、前記ガイドサポータ９０は２段で構成されることができる。
【０１６５】
本実施形態において前記ガイドサポータ９０は、前後方向へ移動される第１のガイドサポータ９２、第２のガイドサポータ９４、及び第３のガイドサポータ９６で構成される。
【０１６６】
前記第１のガイドサポータ９２は、キャビネット１０側に固定され、第３のガイドサポータ９６は、ドロワ７０に固定され、第２のガイドサポータ９４は、第１及び第３のガイドサポータ９２、９６を連結させる。
【０１６７】
前記第１のガイドサポータ９２は、ベース１６または凝縮水ハウジング５５に固定されることができ、本実施形態では、凝縮水ハウジング５５に締結固定される。
【０１６８】
前記第３のガイドサポータ９６は、前記ドロワ７０またはバケツ８７に固定されることができる。特に、前記第３のガイドサポータ９６は、前記ドロワ７０のうち、ドロワホルダ７２に固定されることができる。
【０１６９】
本実施形態において前記ガイドサポータ９０は、前記ドロワアセンブリに結合され、前記ドロワアセンブリの荷重を支持できる。
【０１７０】
本実施形態において前記第３のガイドサポータ９６は、前記バケツ８７の下側に固定され、前記ドロワホルダ７２及びバケツ８７の間に位置する。
【０１７１】
前記第１のガイドサポータ９２の上側に第２のガイドサポータ９４が配置されて相手移動され、第２のガイドサポータ９４の上側に第３のガイドサポータ９６が配置される。
【０１７２】
前記第１のガイドサポータ９２及び第２のガイドサポータ９４は、互いに相手移動されることができる。前記第２のガイドサポータ９４及び第３のガイドサポータ９６は、互いに相手移動されることができる。
【０１７３】
前記第１のガイドサポータ９２に第２のガイドサポータ９４、第３のガイドサポータ９４、９６、バケツ８７、及びドロワ７０の荷重が集中される。これにより、前記第１のガイドサポータ９２の幅を最も広く形成することが好ましい。
【０１７４】
第２、３のガイドサポータ９４、９６が後方側へ密着されたとき、前記第１、２、３のガイドサポータ９２、９４、９６を密着された状態で維持させるラッチ９５がさらに設けられ得る。本実施形態において前記ラッチ９５は、第１のガイドサポータ９２に配置される。
【０１７５】
前記ラッチ９５と相互係止を形成させる係止部材（例えば、フック）は、第３のガイドサポータ９６に配置されることができる。本実施形態とは異なり、前記係止部材は、ドロワ７０に配置されることもできる。
【０１７６】
本実施形態とは異なり、前記ラッチ９５及び係止部材のうち、いずれか１つは、ドロワ側構造物に配置され、他の１つは、キャビネット側構造物に配置されることができる。
【０１７７】
本実施形態とは異なり、前記ラッチ９５及び係止部材のうち、いずれか１つは、第１のガイドサポータ９２に配置され、他の１つは、第３のガイドサポータ９６に配置されることができる。
【０１７８】
ユーザが前記ドロワ７０を後方側へ押さえるとき、前記ラッチ９５の係止が解除され得る。前記ラッチ９５の解除の際、前記ドロワ７０を前方へ押して移動させるドロワ弾性部材（図示せず）がさらに配置され得る。
【０１７９】
前記ドロワ弾性部材は、キャビネット１０側構造物及びドロワアセンブリ側構造物の間に配置されて弾性力を提供できる。
【０１８０】
例えば、前記ドロワ弾性部材は、前記第１、２、３のガイドサポータ９２、９４、９６のうち、少なくともいずれか１つに設けられることができる。
【０１８１】
例えば、前記ドロワ弾性部材は、キャビネット側構造物である凝縮水ハウジング５５及びドロワ側構造物であるガイドサポータ９０のうち、少なくともいずれか１つに設けられ、前方に弾性力を提供できる。
【０１８２】
例えば、前記ドロワ弾性部材は、ラッチ９５に設けられて、前記第３のガイドサポータ９６に弾性力を提供できる。
【０１８３】
ドロワ７０を引き出すとき、ユーザは、前記ドロワ７０を後方へプッシュして前記ラッチ９５を解除させ、前記ドロワ弾性部材の弾性力により前記ドロワ７０が前方へ押されて移動される。
【０１８４】
ドロワ７０をキャビネット１０に収納するとき、ユーザは、ドロワ７０を後方へ密着させ、前記ラッチ９５と係止を形成する。
【０１８５】
前記ラッチ９５の係止または係止解除は、当業者に一般的な技術であるから、詳細な説明を省略する。
【０１８６】
そして、前記ラッチ９５により第３のガイドサポータ９６が係止されれば、前記第１のオーバーフロー管１０１及び第２のオーバーフロー管１０３が連結される。前記第１のオーバーフロー管１０１及び第２のオーバーフロー管１０３の結合は、前記ラッチ９５により維持される。
【０１８７】
逆に、前記ラッチ９５の係止が解除されれば、前記第１のオーバーフロー管１０１及び第２のオーバーフロー管１０３が分離される。
【０１８８】
前記ガイドサポータ９０及びラッチ９５は、オーバーフローパス１００を信頼性のあるように形成させる機能を果たし、バケツ８７の凝縮水が漏れることを防止する。
【０１８９】
一方、前記凝縮水引出容器８２の定位置を感知するセンサ８３がさらに設けられ得る。前記センサ８３は、凝縮水引出容器８２が正確な位置に置かれたかを感知する。
【０１９０】
前記凝縮水引出容器８２が定位置から外れた場合、凝縮水ポンプ８４から供給された凝縮水が誤った位置に落下するという問題点がある。
【０１９１】
前記センサ８３は、凝縮水引出容器８２の定位置を感知するだけでなく、凝縮水の漏れを防止するためのものである。これにより、前記センサ８３は、前記凝縮水引出容器８２だけでなく、ドロワ７０の定位置も同時に感知することができる。特に、前記センサ８３は、前記オーバーフローパス１００の連結状態も感知することができる。
【０１９２】
このために、前記センサ８３は、ドロワ７０の引出の際に移動される構造物及び固定された構造物のうち、少なくともいずれか１つに設けられることができる。前記センサ８３は、キャビネット１０側またはドロワアセンブリのうち、少なくともいずれか一方に設けられることができる。
【０１９３】
例えば、前記センサ８３は、バケツ８７及び凝縮水ハウジング５５のうち、少なくともいずれか一方に設けられることができる。
【０１９４】
本実施形態とは異なり、前記センサ８３は、前記バケツ８７及びベース１６のうち、少なくともいずれか一方に設けられることができる。本実施形態とは異なり、前記センサ８３は、凝縮水引出容器８２及び凝縮水ハウジング５５のうち、少なくともいずれか一方に設けられることができる。本実施形態とは異なり、前記センサ８３は、ドロワ７０及びベース１６のうち、少なくともいずれか一方に設けられることができる。本実施形態とは異なり、前記センサ８３は、ドロワ７０及び凝縮水ハウジング５５のうち、少なくともいずれか一方に設けられることができる。本実施形態とは異なり、前記センサ８３は、第３のガイドサポータ９６及び第１のガイドサポータ９２のうち、少なくともいずれか一方に設けられることができる。本実施形態とは異なり、前記センサ８３は、第１のオーバーフロー連結管１０１及び第２のオーバーフロー連結管１０３のうち、少なくともいずれか一方に設けられることができる。
【０１９５】
本実施形態において前記センサ８３は、マグネチックセンサである。マグネチックセンサの場合、永久磁石をドロワアセンブリ側に配置し、磁場を感知するマグネチックセンシング部を凝縮ハウジング５５またはベース１６のうち、いずれか１つに設けて、ドロワアセンブリの収納可否を感知できる。
【０１９６】
本実施形態では、前記凝縮水ハウジング５５にマグネチックセンシング部８３ａが設けられ、バケツ８７に永久磁石８３ｂが設けられる。
【０１９７】
前記ドロワ７０が凝縮水ハウジング５５に密着されるとき、前記センシング部８３ａが永久磁石８３ｂを感知する。前記乾燥機の制御部（図示せず）は、前記センシング部８３ａを介して永久磁石８３ｂの磁気力を判断して、凝縮水引出容器８２の定位置またはオーバーフローパス１００の連結状態を判断する。
【０１９８】
制御部は、前記センシング部８３ａに所定サイズ以上の磁気力が感知された場合にのみ、前記凝縮水ポンプ８４を作動させ、凝縮水ハウジング５５の凝縮水が凝縮吐出ホース８６を介して凝縮水引出容器８２に供給される。定位置に位置した凝縮水引出容器８２は、凝縮水ホール８１に落下する。
【０１９９】
本実施形態とは異なり、前記センサ８３は、光センサでありうる。光センサの場合、凝縮水ハウジング５５またはベース１６のうち、いずれか１つに設けられて、ドロワアセンブリの収納可否を感知することが好ましい。
【０２００】
本発明の属する技術分野における通常の知識を有する者は、本発明がその技術的思想や必須的な特徴を変更せずに、他の具体的な形態で実施され得るということが理解できるであろう。したがって、以上で記述した実施形態等は、あらゆる面において例示的なものであり、限定的でないものと理解すべきである。本発明の範囲は、上記詳細な説明よりは、後述する特許請求の範囲によって表され、特許請求の範囲の意味及び範囲、そして、その均等概念から導き出されるあらゆる変更または変形された形態が本発明の範囲に含まれることと解釈されなければならない。
【図１】
0006632639.tif 000002
【図２】
0006632639.tif 000003
【図３】
0006632639.tif 000004
【図４】
0006632639.tif 000005
【図５】
0006632639.tif 000006
【図６】
0006632639.tif 000007
【図７】
0006632639.tif 000008
【図８】
0006632639.tif 000009
【図９】
0006632639.tif 000010
【図１０】
0006632639.tif 000011
【図１１】
0006632639.tif 000012